(57)【要約】【課題】製造コストの有効な削減が可能となるリールユニット、及び、このリールユニットを利用したスロットマシンの提供。【解決手段】ケーブル類76を束ねておく環状のケーブル収納部77を取付ベース73に設け、支持フレーム62の上方の接合部64の近傍に設けた切り込み部65を取付ベース73を嵌合させながら、取付ベース73を支持フレーム62に取り付ける。これにより、取り付けの際に、ケーブル類76が取付ベース73と支持フレーム62との間に挟まる等の不具合が発生せず、リールユニット60の組立作業性を確保できる。また、取付ベース73から延びるケーブル類76は、そのまま支持フレーム62の内側から外側に取り出せるので、ケーブル類76の中間にはコネクタが不要となり、部品点数が低減でき、製造コストを有効に削減することができる。【選択図】    図３
2006175111.tif 000002
【特許請求の範囲】
【請求項１】
外周面に複数の図柄が記された複数の回転リールと、これらの回転リールを回転自在に支持する支持フレームと、その回転軸に前記回転リールが取り付けられ、当該回転リールを回転駆動する複数のモーターと、上下の端部が前記支持フレームに接合されるとともに、中間部に前記モーターが取り付けられる複数の取付ベースとを備えたリールユニットであって、
前記モーターを介して前記回転リールを支持する前記取付ベースは、前記支持フレームに対して、その前方から後方へ向かって差し込まれ、この状態で前記上下の端部が前記支持フレームに接合され、
前記支持フレームには、前記取付ベースの前記上下両方の端部が接合される一対の接合部が設けられ、且つ、これら一対の接合部のうち、少なくとも一方の近傍には、前方から後方へ向かって延びる切り込み部が形成され、
前記取付ベースには、前記モーターと外部との電気的な接続を行うためのケーブルを含んだケーブル類を内部に束ねておく環状のケーブル収納部が設けられ、このケーブル収納部は、前記取付ベースの前記上下の端部を前記支持フレームの前記一対の接合部に接合すると、前記支持フレームの前記切り込み部の内部に嵌合するものであることを特徴とするリールユニット。
【請求項２】
前記回転リール、前記モーター及び前記取付ベースは、当該回転リールを当該モーターの回転軸に取り付け、この状態の当該モーターを当該取付ベースに取り付けて一体化することにより、前記支持フレームに対して一体となって着脱可能となった回転リール組立体を形成するものであり、
前記取付ベースの前記ケーブル収納部は、前記支持フレームに前記回転リール組立体を取り付ける際に、前記支持フレームの前記切り込み部の内部に嵌合して、前記取付ベースの前記支持フレームに対する位置を決める位置決め部位を兼用するものであることを特徴とする請求項１記載のリールユニット。
【請求項３】
外周面に複数の図柄が記された複数の回転リールと、これらの回転リールを回転自在に支持する支持フレームと、その回転軸に前記回転リールが取り付けられ、当該回転リールを回転駆動する複数のモーターと、上下の端部が前記支持フレームに接合されるとともに、中間部に前記モーターが取り付けられる複数の取付ベースとが設けられているリールユニットを備えたスロットマシンであって、
前記モーターを介して前記回転リールを支持する前記取付ベースは、前記支持フレームに対して、その前方から後方へ向かって差し込まれ、この状態で前記上下の端部が前記支持フレームに接合され、
前記支持フレームには、前記取付ベースの前記上下両方の端部が接合される一対の接合部が設けられ、且つ、これら一対の接合部のうち、少なくとも一方の近傍には、前方から後方へ向かって延びる切り込み部が形成され、
前記取付ベースには、前記モーターと外部との電気的な接続を行うためのケーブルを含んだケーブル類を内部に束ねておく環状のケーブル収納部が設けられ、このケーブル収納部は、前記取付ベースの前記上下の端部を前記支持フレームの前記一対の接合部に接合すると、前記支持フレームの前記切り込み部の内部に嵌合するものであることを特徴とするスロットマシン。
【発明の詳細な説明】
【技術分野】
【０００１】
本発明は、回転駆動された複数の回転リールを適宜停止させ、これらの回転リールに表示された図柄が特定の組合せとなったときに入賞とするスロットマシンのリールユニット及びこのリールユニットを利用したスロットマシンに関する。
【背景技術】
【０００２】
従来から、スロットマシンは、人々に娯楽を提供するための手段として利用されている。また、スロットマシンは、複数種類の図柄が記されるとともに回転駆動可能に設けられた複数の回転リールを備えたものとなっている。このようなスロットマシンでは、メダルを投入して遊技を開始し、回転駆動させた複数の回転リールを適宜停止させ、これらの回転リールに表示された図柄が特定の組合せとなったときに入賞となる。そして、入賞すると、入賞した役に応じた数のメダルがスロットマシンから払い出されることとなる。
複数の回転リールを備えたスロットマシンには、これらの回転リールを回転自在に支持するために、これらの回転リールを軸支するリールユニットが設けられている。このリールユニットには、前述の回転リールの他に、四角枠型の支持フレームと、このフレームに並設されるとともに平板状に形成された複数の取付ベースと、各取付ベースにそれぞれ固定されるステッピングモーターとが設けられている。そして、各ステッピングモーターの回転軸には、当該ステッピングモーターが駆動する回転リールが取り付けられている。また、取付ベースの側面の中央部分には、回転軸とは反対側の端面が当接された状態で、ステッピングモーターがネジ止めされている。さらに、取付ベースは、支持フレームに対して、その前方から後方へ向かって差し込まれた状態で、当該支持フレームに取り付けられるようになっている。
【０００３】
ここで、支持フレームに対して、その前方から後方へ向かって差し込まれる取付ベースの先端縁部分には、ステッピングモーターと外部との電気的な接続を行うために、ステッピングモーターと電気的に接続されている内部コネクタプラグが設けられている。
支持フレームは、前方から差し込まれた取付ベースの先端縁部分に対応する位置に配置されるとともに、当該支持フレームの内側を臨むように設けられた内側コネクタソケットを有している。この内側コネクタソケットは、内部コネクタプラグと嵌合するとともに、嵌合状態にすると、内部コネクタプラグと電気的に接続されるものとなっている。
また、当該支持フレームには、内側コネクタソケットと電気的に接続された外側コネクタソケットが当該支持フレームの外側を臨むように設けられている。この外側コネクタソケットは、支持フレームの外側において電気的な接続を行う外部配線ケーブルの端部に設けられた外部コネクタプラグと嵌合するものとなっている。外側コネクタソケットに外部コネクタプラグを嵌合することにより、外部配線ケーブルが内側コネクタソケットに電気的に接続されるようになっている。
【０００４】
このような支持フレームによれば、当該支持フレームに取付ベースを差し込こんで取り付けることにより、内部コネクタプラグと内側コネクタソケットとを嵌合させ、さらに、外部コネクタプラグを外側コネクタソケットに嵌合すれば、ステッピングモーターと外部との電気的な接続作業が速やかに完了し、外部配線ケーブルが取付ベースの取り付けに何ら支障をきたすことがないので、リールユニットの組立作業を迅速に行うことができる（例えば、特許文献１参照）。
【特許文献１】特開２００４−１３５７１０号（図２０）
【発明の開示】
【発明が解決しようとする課題】
【０００５】
しかしながら、従来のリールユニットでは、ステッピングモーターと外部配線ケーブルとの間に、内部コネクタプラグ及び内側コネクタソケット、並びに、外部コネクタプラグ及び外側コネクタソケットの二組のコネクタが設けられていることから、これら二組のコネクタにより部品点数が多くなり、取り付けの手間も増え、製造コストが嵩むので、コネクタを一組でも減らして製造コストを削減したい、という要望がある。
なお、ステッピングモーターに一端が接続された配線ケーブルの他端側を支持フレームの外部に引き出し、この配線ケーブルの他端と外部との接続を支持フレームの外側で行えば、コネクタを減らすことができるが、このようにすると、取付ベースから配線ケーブルが垂れ下がるようになり、取付ベースを支持フレームに取り付けるにあたり、取付ベースから垂れ下がる配線ケーブルが、取付ベースと支持フレームとの間に挟まる等の不具合を生じさせて、取付作業の障害物となるので、リールユニットの組立作業性が損なわれ、製造コストを有効に削減することができない、という問題がある。
【０００６】
そこで、各請求項にそれぞれ記載された各発明は、上記した従来の技術の有する問題点に鑑みてなされたものであり、その目的とするところは、製造コストの有効な削減が可能となるリールユニット、及び、このリールユニットを利用したスロットマシンを提供することである。
【課題を解決するための手段】
【０００７】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、外周面に複数の図柄が記された複数の回転リール(61)と、これらの回転リール(61)を回転自在に支持する支持フレーム(62)と、その回転軸に前記回転リール(61)が取り付けられ、当該回転リール(61)を回転駆動する複数のモーター(71)と、上下の端部が前記支持フレーム(62)に接合されるとともに、中間部に前記モーター(71)が取り付けられる複数の取付ベース(73)とを備えたリールユニット(60)であって、前記モーター(71)を介して前記回転リール(61)を支持する前記取付ベース(73)は、前記支持フレーム(62)に対して、その前方から後方へ向かって差し込まれ、この状態で前記上下の端部が前記支持フレーム(62)に接合され、前記支持フレーム(62)には、前記取付ベース(73)の前記上下両方の端部が接合される一対の接合部(64)が設けられ、且つ、これら一対の接合部(64)のうち、少なくとも一方の近傍には、前方から後方へ向かって延びる切り込み部(65)が形成され、前記取付ベース(73)には、前記モーター(71)と外部との電気的な接続を行うためのケーブルを含んだケーブル類(76)を内部に束ねておく環状のケーブル収納部(77)が設けられ、このケーブル収納部(77)は、前記取付ベース(73)の前記上下の端部を、前記支持フレーム(62)の前記一対の接合部(64)に接合すると、前記支持フレーム(62)の前記切り込み部(65)の内部に嵌合するものであることを特徴とする。
【０００８】
（請求項２）
（特徴点）
請求項２記載の発明は、前述した請求項１に記載の発明において、次の特徴点を備えているものである。
すなわち、請求項２記載の発明は、前記回転リール(61)を前記モーター(71)の前記回転軸に取り付け、この状態の前記モーター(71)を前記取付ベース(73)に取り付けて一体化することにより、前記回転リール(61)、前記モーター(71)及び前記取付ベース(73)が、前記支持フレーム(62)に対して一体となって着脱可能となった回転リール組立体(70)を形成するものとなっており、前記取付ベース(73)の前記ケーブル収納部(77)は、前記支持フレーム(62)に前記回転リール組立体(70)を取り付ける際に、前記支持フレーム(62)の前記切り込み部(65)の内部に嵌合して、前記取付ベース(73)の前記支持フレーム(62)に対する位置を決める位置決め部位を兼用するものであることを特徴とする。
【０００９】
（請求項３）
（特徴点）
請求項３記載の発明は、前述した請求項１に記載のリールユニットを備えたスロットマシンに関するものであり、次の特徴点を備えているものである。
すなわち、請求項３記載の発明は、外周面に複数の図柄が記された複数の回転リール(61)と、これらの回転リール(61)を回転自在に支持する支持フレーム(62)と、その回転軸に前記回転リール(61)が取り付けられ、当該回転リール(61)を回転駆動する複数のモーター(71)と、上下の端部が前記支持フレーム(62)に接合されるとともに、中間部に前記モーター(71)が取り付けられる複数の取付ベース(73)とが設けられているリールユニット(60)を備えたスロットマシン(10)であって、前記モーター(71)を介して前記回転リール(61)を支持する前記取付ベース(73)は、前記支持フレーム(62)に対して、その前方から後方へ向かって差し込まれ、この状態で前記上下の端部が前記支持フレーム(62)に接合され、前記支持フレーム(62)には、前記取付ベース(73)の前記上下両方の端部が接合される一対の接合部(64)が設けられ、且つ、これら一対の接合部(64)のうち、少なくとも一方の近傍には、前方から後方へ向かって延びる切り込み部(65)が形成され、更に、前記取付ベース(73)には、前記モーター(71)と外部との電気的な接続を行うためのケーブルを含んだケーブル類(76)を内部に束ねておく環状のケーブル収納部(77)が設けられ、このケーブル収納部(77)は、前記取付ベース(73)の前記上下の端部を、前記支持フレーム(62)の前記一対の接合部(64)に接合すると、前記支持フレーム(62)の前記切り込み部(65)の内部に嵌合するものであることを特徴とする。
【発明の効果】
【００１０】
（請求項１、３の効果）
以上のように構成されている本発明は、以下に記載されるような効果を奏する。
すなわち、請求項１、３記載の発明によれば、取付ベースにケーブル類を束ねておく環状のケーブル収納部を設け、且つ、取付ベースの上下の端部が接合される支持フレームの接合部の近傍に、取付ベースのケーブル収納部をその内部に嵌合させる切り込み部を設けたので、取付ベースを支持フレームに取り付けるにあたり、ケーブル類をケーブル収納部に束ねておくことができる。
このため、取付ベースに係る電気的な接続を、支持フレームの外部で行う外部接続方式を採用しても、換言すると、前述のケーブル類の接続を支持フレームの外部で行うようにしても、取付ベースを支持フレームに取り付けるにあたり、ケーブル類をケーブル収納部に束ねておくことにより、取付ベースの支持フレームへの取付作業の際に、ケーブル類が取付ベースと支持フレームとの間に挟まる等の不具合が生じることがなく、リールユニットの組立作業性が何ら損なわれることがなくなる。
【００１１】
以上により、取付ベースから延びるケーブル類は、そのまま支持フレームの内側から外側に取り出せるようになるので、従来のように、支持フレームの内側及び外側に対して、それぞれ別個に外側ケーブル及び内側ケーブルを用意する必要がなくなるうえ、これら外側ケーブルと内側ケーブルとを接続するためのコネクタも不要となる。
従って、少なくとも１組のコネクタが省略可能となるので、これにより、部品点数が少なくなり、取り付けの手間も低減でき、製造コストを有効に削減することができる。
（請求項２の効果）
請求項２記載の発明によれば、上記した請求項１記載の発明の効果に加え、次のような効果を奏する。
【００１２】
すなわち、請求項２記載の発明によれば、取付ベースを取り付ける際に取付ベースの支持フレームに対する位置を決める位置決め部位を、ケーブル収納部に兼用させたので、支持フレームに回転リール組立体を取り付ける際に、支持フレームの切り込み部の内部にケーブル収納部を嵌合すれば、取付ベースの上下両方の端部の位置と、支持フレームの一対の接合部の位置とが揃い、速やかに接合作業を行うことができるようになり、リールユニットの組立作業性を向上することができる。
【発明を実施するための最良の形態】
【００１３】
以下に、本発明を実施するための最良の形態である一実施形態について、図面に基づいて説明する。
図１から図６までの図面は、本実施形態を示すものである。図１は、本実施形態に係るスロットマシンを示す正面図、図２は、本実施形態に係るスロットマシンの前扉が開いた状態を示す斜視図、図３は、本実施形態に係るリールユニットを示す斜視図、図４は、本実施形態に係るリールユニットを示す平面図、図５は、本実施形態に係る回転リール組立体を示す斜視図、図６は、本実施形態の要部を示す斜視図である。
本実施形態に係るスロットマシン10は、図１及び図２の如く、略六面体の箱状に形成された筐体20を備えている。この筐体20は、３個の回転リール61が横並びに設けられたリールユニット60等の遊技用装置を収納するものとなっている。なお、回転リール61の各々は、リールユニット60に回転駆動可能に設けられ、且つ、それぞれの外周面に複数種類の図柄が記されたものとなっている。
【００１４】
また、筐体20の前面開口部には、図１の如く、そのほぼ中央に窓部としてのリール窓42を備えた前扉30が当該前面開口部を覆うように設けられている。
前扉30に設けられたリール窓42は、３個の回転リール61に記された図柄を外部に露出させるための窓であり、３個すべての回転リール61の回転が停止した際に、縦横３個ずつ配列された計９個の図柄が表示できるように形成されている。
リール窓42の下方近傍には、左側から、貯留メダルを１枚ずつ投入するためのベットスイッチ33と、回転リール61の回転を開始させるためのスタートスイッチ35と、貯留メダルを３枚ずつ投入するためのマックスベットスイッチ34と、３個の回転リール61の回転をそれぞれ停止させる３個のストップスイッチ36と、メダルが投入されるメダル投入口31とが設けられている。
【００１５】
また、前扉30の下部には、入賞時にメダルを払い出すための払出口32が設けられている。この払出口32の下方には、受け皿39が設けられ、払出口32の図中右方には、演出音等を発するスピーカ38が設けられている。一方、前扉30の上部には、入賞時などに点滅する演出用ランプ37等が設けられている。
前扉30の裏面には、図２の如く、メダル投入口31に対応する位置に配置されるとともに、メダル投入口31に投入されたメダルを誘導しながらメダルの真贋を判定するメダルセレクタ43等が設けられている。
筐体20は、スロットマシン10の背部に配置された長方形状の背板24の四方を囲むように、底部の底板21と、天井部の天板22と、両側に配置された一対の側板23とを設けることにより、箱状に形成されたものである。
【００１６】
筐体20の内部には、前述したリールユニット60の他に、スロットマシン10の遊技における動作を制御する制御装置50と、メダルセレクタ43を通過したメダルを受け止めて貯留しておくとともに、貯留しているメダルを入賞時に払出口32から払い出すためのホッパーユニット44と、制御装置50やホッパーユニット44等に電力を供給するための電源装置45とが収納されている。
このうち、制御装置50は、スロットマシン10の遊技動作そのものを制御するための電子回路が形成されたメイン基板51と、スロットマシン10の演出動作を制御するための電子回路が形成されたサブ基板52とに分割されたものである。
【００１７】
ここで、メイン基板51及びサブ基板52は、それぞれ専用の基板ケース53，54の内部に収納されている。
このうち、メイン基板51は、比較的底の浅い直方体状に形成された基板ケース53の内部に収納されて保護された状態で、背板24の内側面に取り付けられている。
一方、サブ基板52は、メイン基板51と同様に、比較的底の浅い直方体状に形成された基板ケース54の内部に収納されて保護された状態で、図２中左方に配置されている側板23の内側面に取り付けられている。
以下に、本発明に基づくリールユニット60について詳しく説明する。
【００１８】
リールユニット60は、図３及び図４に示すように、細長い軸組材を六面体状に組んだ支持フレーム62に、１個の回転リール61を含んで構成された回転リール組立体70が三個取り付けられたものである。
回転リール組立体70の各々は、図５に示すように、前述の回転リール61と、この回転リール61を回転駆動するステッピングモーター71と、回転リール61及びステッピングモーター71を支持するために、上下の端部が支持フレーム62に接合される取付部72となっている取付ベース73とを有するものとなっている。
このうち、回転リール61は、中心軸を保持するためのハブ部（図示略）と、このハブ部を中心にした放射に延びる複数のスポーク部（図示略）と、回転リール61の周縁部分となるリム部61A とを備えたものである。回転リール61のリム部61A には、透光性を有する帯状の図柄帯61B が当該リム部61A の外周縁に沿って巻回され、これにより、図柄帯61B が円筒状に形成されている。そして、この図柄帯61B に、前述した複数種類の図柄（図示略）が記されている。
【００１９】
ステッピングモーター71は、前述の如く、回転リール61を回転駆動するものであり、その駆動軸に回転リール61が取り付けられている。このステッピングモーター71の駆動軸が回転リール61の回転軸となっており、これにより、回転リール61が取付ベース73、ひいては、支持フレーム62に回転自在に支持されるようになっている。
取付ベース73は、支持フレーム62の前方から後方へ向かって支持フレーム62に差し込まれ、この状態で、その取付部72が支持フレーム62に接合されるものである。
この取付ベース73は、略「凸」字形を横に倒した側面形状を有しており、「凸」字の上端部73A 及び下端部73B が回転リール61の周縁よりも外側へ突出し、且つ、「凸」字の突出部73C が、回転リール61に備えられた図柄帯61B に向かって突出したものとなっている。この突出部73C の先端縁は、回転リール61に備えられた図柄帯61B の内周面に沿って湾曲している。
【００２０】
取付ベース73には、その上下方向における中間部に、回転リール61を回転駆動するステッピングモーター71が取り付けられている。換言すると、取付ベース73には、上端部73A と下端部73B との中間高さレベルに配置されたステッピングモーター71が取り付けられるようになっている。
また、取付ベース73には、ステッピングモーター71の他に、回転リール61に設けられた図柄帯61B を内側から照射する図示しないバックライトと、回転リール61の回転角度位置を常に正確に検出できるようにするために、回転リール61の回転角度位置の原点を検出するフォトインターラプタ等の図示しないセンサとが設けられている。
【００２１】
ここで、上端部73A の上面には、上方へ突出する耳部74が設けられている。この耳部74には、支持フレーム62との接合を行うためのネジ63（図３参照）が挿通される挿通孔72A が形成されている。この挿通孔72A の形成により、耳部74には、支持フレーム62に接合される前述の取付部72が形成されている。
下端部73B の下面には、下方へ突出する耳部75が設けられている。この耳部75には、上方の耳部74と同様に、支持フレーム62との接合を行うためのネジ63（図３参照）が挿通される挿通孔72A が形成されている。この挿通孔72A の形成により、耳部75には、支持フレーム62に接合される取付部72が形成されている。
【００２２】
また、ステッピングモーター71、並びに、図示しないランプ及びセンサは、リールユニット60の外部と電気的に接続しなければならないものとなっている。このために、ステッピングモーター71、並びに、図示しないランプ及びセンサには、ケーブルや電線等からなるケーブル類76の一端に電気的に接続されている。
ケーブル類76の他端は、リールユニット60の外部に設けられた図示しない制御装置に電気的に接続されている。ここで、ケーブル類76の他端と前述の制御装置との接続は、図示しないコネクタプラグ及びコネクタソケットを介して行われるようになっている。
ここで、取付ベース73の上方に配置された取付部72の近傍には、ケーブル類76を内部に束ねておくケーブル収納部77が設けられている。このケーブル収納部77の平面形状は、支持フレーム62に差し込まれる取付ベース73の差し込み方向（矢印Ｄで示す方向）に沿って細長く延びる長方形の環状に形成されている。
【００２３】
更に詳しく説明すると、ケーブル収納部77は、図５及び図６に示すように、断面Ｕ字形の溝形に形成された溝形部77A と、この溝形部77A の開口を塞ぐために、当該開口に応じたサイズを有する平板状の蓋部77B とを備え、全体としては上下方向に延びる所定長さの筒状に形成されたものとなっている。
ここで、ケーブル収納部77を溝形部77A と蓋部77B とに分割したので、ケーブル収納部77の溝形部77A の内部にケーブル類76を入れた後、この溝形部77A の開口を蓋部77B で塞ぐことが可能となっている。これにより、ケーブル類76が長くても、ケーブル収納部77の内部にケーブル類76を束ねて収納することが容易に行えるようになっている。
【００２４】
一方、支持フレーム62の上面62A には、図３、図４及び図６に示すように、取付ベース73の上方に設けられている取付部72に対応して接合部64が設けられている。この接合部64は、取付ベース73上方の取付部72に設けられている挿通孔72A に挿通されたネジ63と螺合するものである。
そして、支持フレーム62の上方に設けられた接合部64の近傍には、当該支持フレーム62の前方から後方へ向かって延びる切り込み部65が設けられている。
この切り込み部65は、取付ベース73のケーブル収納部77に対応した平面形状を有するものであり、ケーブル収納部77が内部に嵌合可能となっている。
【００２５】
また、支持フレーム62の上面62A には、切り込み部65を囲むように、切り込み部65の周縁に沿って延びる立ち上がり壁部65A が設けられている。この立ち上がり壁部65A は、支持フレーム62の上面62A から上方向へ所定寸法突出している。取付ベース73のケーブル収納部77を切り込み部65の内部に嵌合させると、筒状に形成されたケーブル収納部77の長手方向が、立ち上がり壁部65A の突出方向に自動的に沿わされるようになっている。
さらに、支持フレーム62には、図３に示すように、取付ベース73の下方に設けられている取付部72に対応した部分にも、ネジ63と螺合する接合部64が設けられている。この接合部64は、取付ベース73下方の取付部72に設けられている挿通孔72A に挿通されたネジ63と螺合するものである。
【００２６】
以上において、回転リール組立体70は、取付ベース73を支持フレーム62の前方から後方へ向かって移動させることにより、取付ベース73を当該支持フレーム62に差し込むとともに、支持フレーム62の切り込み部65の内部に、取付ベース73のケーブル収納部77を嵌合させ、この状態で、取付ベース73の上下に設けられた取付部72を支持フレーム62の上下に設けられた接合部64にネジ63で接合することにより、支持フレーム62に取り付けられるようになっている。
そして、取付ベース73のケーブル収納部77は、支持フレーム62に回転リール組立体70を取り付ける際に、支持フレーム62の切り込み部65の内部に嵌合され、取付ベース73の支持フレーム62に対する位置を決めるようになっている。ここで、取付ベース73のケーブル収納部77を切り込み部65の内部に嵌合させると、筒状に形成されたケーブル収納部77の長手方向が、立ち上がり壁部65A の突出方向に自動的に沿わされ、取付ベース73の上方及び下方のそれぞれに設けられている取付部72の位置と、支持フレーム62の上方及び下方のそれぞれに設けられている接合部64の位置とが自動的に揃うようになっている。
【００２７】
これにより、ケーブル収納部77は、取付ベース73の支持フレーム62に対する位置を決めるだけでなく、取付部72の接合部64に対する位置をも決める位置決め部位を兼用するものとなっている。
前述のような本実施形態によれば、次のような効果が得られる。
すなわち、取付ベース73にケーブル類76を束ねておく環状のケーブル収納部77を設け、且つ、取付ベース73の上方の取付部72が接合される支持フレーム62の接合部64の近傍に、取付ベース73のケーブル収納部77をその内部に嵌合させる切り込み部65を設けたので、取付ベース73を支持フレーム62に取り付けるにあたり、ケーブル類76をケーブル収納部77に束ねておくことができる。
【００２８】
また、取付ベース73を支持フレーム62に取り付けるにあたり、ケーブル類76をケーブル収納部77に束ねておくようにしたので、取付ベース73に設けられたステッピングモーター71、並びに、図示しないランプ及びセンサに係る電気的な接続を、支持フレーム62の外部で行うようにしても、ケーブル類76が取付ベース73と支持フレーム62との間に挟まる等の不具合が生じることがなく、リールユニット60の組立作業性が何ら損なわれることがなくなる。
以上により、取付ベース73から延びるケーブル類76は、そのまま支持フレーム62の内側から外側に取り出せるようになるので、従来のように、支持フレーム62の内側及び外側に対して、それぞれ別個に外側ケーブル及び内側ケーブルを用意する必要がなくなるうえ、これら外側ケーブルと内側ケーブルとを接続するためのコネクタも不要となる。
【００２９】
従って、少なくとも１組のコネクタが省略可能となるので、これにより、部品点数が少なくなり、取り付けの手間も低減でき、製造コストを有効に削減することができる。
また、取付ベース73を取り付ける際に取付ベース73の支持フレーム62に対する位置を決める位置決め部位を、ケーブル収納部77に兼用させたので、支持フレーム62に回転リール組立体70を取り付ける際に、支持フレーム62の切り込み部65の内部にケーブル収納部77を嵌合すれば、取付ベース73の上方及び下方のそれぞれに設けられている取付部72の位置と、支持フレーム62の上方及び下方のそれぞれに設けられている接合部64の位置とが自動的に揃い、速やかに接合作業を行うことができるようになり、リールユニット60の組立作業性を向上することができる。
【００３０】
なお、本発明は、前記実施形態に限定されるものではなく、本発明の目的を達成できる範囲における変形及び改良などをも含むものである。
例えば、前記実施形態では、支持フレームの上方に設けられた接合部の近傍に切り込み部を形成し、取付ベースに設けられるケーブル収納部を、支持フレーム側の切り込み部と対応して取付ベースの設けたが、支持フレームの切り込み部は、支持フレームの下方に設けられた接合部の近傍に設けてもよく、取付ベースのケーブル収納部は、支持フレームの下方に設けられた切り込み部に対応して、取付ベースの下方に設けてもよい。
また、支持フレームとしては、上方の接合部及び下方に接合部のいずれか一方の近傍に切り込み部が設けられているものに限らず、上方の接合部及び下方に接合部の両方の近傍に切り込み部が設けられているものでもよい。このように、上方及び下方の両方に切り込み部を有する支持フレームを採用する場合には、支持フレームの上方及び下方に設けられた切り込み部に対応して、その上方及び下方の両方にケーブル収納部が設けられている取付ベースを採用するのが好ましい。
【図面の簡単な説明】
【００３１】
【図１】本発明の一実施形態に係るスロットマシンを示す正面図である。
【図２】前記実施形態に係るスロットマシンの前扉が開いた状態を示す斜視図である。
【図３】前記実施形態に係るリールユニットを示す斜視図である。
【図４】前記実施形態に係るリールユニットを示す平面図である。
【図５】前記実施形態に係る回転リール組立体を示す斜視図である。
【図６】前記実施形態の要部を示す斜視図である。
【符号の説明】
【００３２】
10  スロットマシン
60  リールユニット
61  回転リール
62  支持フレーム
64  接合部
65  切り込み部
70  回転リール組立体
71  モーター（ステッピングモーター）
73  取付ベース
76  ケーブル類
77  ケーブル収納部
【図１】
2006175111.tif 000003
【図２】
2006175111.tif 000004
【図３】
2006175111.tif 000005
【図４】
2006175111.tif 000006
【図５】
2006175111.tif 000007
【図６】
2006175111.tif 000008